(57)【要約】【目的】  長雨、豪雨による高潮、河川の氾濫、道路の氾濫等水害を最小限度に食い止める目的で、緊急時に携帯簡便で、消防車、消火栓と連結して、水を袋に入れ、短時間で長大な長大な堤防フェンスを形成し、在来の堤防の補強緊急の増水を防止し、災害を最小限度に止める。【構成】  １  三角柱型アクアバッグ  ２  枕型アクアバッグを各々防災対策規模に応じて組合わせ、水の重量によって溢れ出る水をアクアフェンスで食い止め、迂回させる。【選択図】  図１１
2005220721.tif 000002
【特許請求の範囲】
【請求項１】
高波の発生、集中豪雨等急な増水による緊急時に、防災用の防水フェンスを手早く組み立てる目的で、ゴム、ヴィニール、ウレタン、レーヨンその他の合成繊維及びカーボン繊維等の素材を用いた袋で、
且つ、消防車又は消火栓から袋の中へ海水、河川水または上水を入れると短時間で展帳する機能を有する袋であり、
形状は縦に長く、底面が平坦の蒲鉾状に膨れ、用途別に袋の満水量が４０キログラムから２トン程度の各種のサイズを選べる三角柱型または平たい枕型の袋で、
性能は折り畳み自由で持ち運びが容易、通常は折り畳んで消防ホースと同様丸めて防災収納ボックスに収め、使用時に袋を並べ、袋と袋を繋ぎ固定するバンドで連結し、水を注入して風船状に膨らませ、重量の大きな水塊を形成し、これを積み上げて緊急の堤防状のフェンスを組み立てることを特徴とする防災用アクアバッグ。
【請求項２】
請求項１においてアクアバッグを多数連結し、積み上げて作るアクアフェンス。
【発明の詳細な説明】
【発明の詳細な説明】
【産業上の利用分野】
【０００１】  地震、気象災害による堤防決壊、集中豪雨で流水の床下浸水、床上浸水、地下街浸水等の防止に関する。
【従来の技術と問題点】
【０００２】  地震、気象災害、地滑り、堤防決壊、道路決壊等では、土嚢の積み上げにより応急手当が行われ、本工事が行われるまでの間、仮設工事で対応してきた。しかし、土嚢では材料の採集、その運搬に難があり、さらに重量が大きいので現場での作業が重労働である。
【問題を解決するための手段】
【０００３】  前記問題を解決するために、通常は折り畳んで収納庫に収め、緊急時に取り出し、袋を並べ、袋と袋を繋ぎ固定するバンドで連結し、水を注入して風船状に膨らませ、これを積み上げて必要な高さに組上げ固定し、積み上げた水の重量で押し寄せる水流を阻み、或いは迂回させて、緊急の堤防を形成する三角柱型、枕型等の形状の防災用アクアバッグを開発した。
【０００４】  図１には三角柱型のアクアバッグの俯瞰図を示した。
ａは正面、ｂは背面、ｃは底面、ｄは右側面、ｅは左側面である。
１は水の注入排出に際し使用する注入口および排出口である。
注入・排出口は、シャッター開閉装置と消火栓接続のワンタッチ接続コネクターからなっている。８コネクター収納保護陥入ボックスであり、９は消防車、消火栓と連結するホースとの接続コネクター、１０はコネクター固定可動掛金である。
１６はシャッター作動シャッター板移動レールである。
７はアクアバッグとアクアバッグを連結する結合バンドである。
１７は満水時の排気孔、排水速度を速める栓で、折り畳み時に空気抜きの役をする。
３は底面の折り目で折り畳み時の内側へ折り込む。
４は右側面ｄの折り畳み時の内側への折込みり目であり、５は左側面ｅの折り畳み時の内側への折り込み目である。
６はアクアバッグの頂上とその折り畳み時の折り目を示す。
７はアクアバッグとアクアバッグを連結する結合バンドである。
アクアバッグの大きさは目的によって選定するが、通常地への浸水、地下浸水防止等には小形のアクアバッグ（一つの面の広さがおよそ３ｍ×５０ｃｍ）が適当と考えられる。
また、堤防の決壊防止、高波防止の緊急対応には大型のアクアバッグ（一つの面の広さがおよそ５〜１０ｍ×２ｍ）が必要で、小形のアクアバッグと組合わせることが適当であると考えられる。
【０００５】  図２には三角柱型のアクアバッグの俯瞰透視図を示した。
１及び２水の注入排出に際し使用する注入口および排出口である。８は水の注入・排出口シャッター開閉用のレバーであり、９は消防車、消火栓と連結するホースとの接続コネクターである。１０はコネクター固定可動掛金である。１４はコネクター収納保護陥入ボックス、１６はシャッター板上の移動レールである。１７は空気抜き（排気・吸気）の栓である。
３は底面の折り畳み時の内側への折り目、４は右側面の折り畳み時の内側への折込みり目、５は左側面の折り畳み時の内側への折り込み目、６は頂上の折り目を示す。７はアクアバッグとアクアバッグを連結する結合バンドである。
ａは正面、ｂは背面、ｃは底面、ｄは右側面、ｅは左側面である。
【０００６】  図３には三角柱型のアクアバッグの正面外観図を示した。
１は水の注入排出に際し使用する注入口および排出口である。
注入・排出口は、シャッター開閉装置と消火栓接続のワンタッチ接続コネクターからなっていて、コネクター収納保護陥入ボックスの中に収納している。
８は水の注入・排出口シャッター開閉用のレバーであり、９は消防車、消火栓と連結するホースとの接続コネクターである。
１４はコネクター収納保護陥入ボックス、１６はシャッター板移動レールである。
１７は満水時の排気孔、排水速度を速める栓で、折り畳み時に空気抜きの役をする。
３は底面の折り目で折り畳み時の内側へ折り込む。
４は右側面ｄの折り畳み時の内側への折込みり目であり、５は左側面ｅの折り畳み時の内側への折り込み目である。
６はアクアバッグの頂上とその折り畳み時の折り目を示す。
７はアクアバッグとアクアバッグを連結する結合バンドである。
ａは正面、ｃは底面、ｄは右側面、ｅは左側面である。
【０００７】  図４には三角柱型のアクアバッグの背面外観図を示した。
６はバッグの頂上、７はアクアバッグとアクアバッグを連結するバンドである。
ｂは背面、ｃは底面、ｄは右側面、ｅは左側面である。
【０００８】  図５には三角柱型のアクアバッグの底面外観図を示した。
３は底面の折り畳み時の内側への折り目、７はアクアバッグとアクアバッグを連結するバンドである。１は水の注入排出に際し使用する注入口および排出口位置である。
ａは正面、ｂは背面、ｄは右側面、ｅは左側面である。
【０００９】  図６には三角柱型のアクアバッグの右側外観図を示した。
４は底面の折り畳み時の内側への折り目、１は水の注入排出に際し使用する注入口および排出口の位置である。１７は空気抜き（排気・吸気）の栓の位置である。
６は頂上及び折り目、７はアクアバッグとアクアバッグを連結するバンドである。
ａは正面、ｂは背面、ｃは底面、ｄは右側面である。
【００１０】  図７には三角柱型のアクアバッグの左側外観図を示した。
６は底面の折り畳み時の内側への折り目、１は水の注入排出に際し使用する注入口および排出口の位置である。１６は空気抜き（排気・吸気）の栓の位置である。
５は頂上及び折り目、７はアクアバッグとアクアバッグを連結するンドである。
ａは正面、ｂは背面、ｃは底面、ｄは右側面である。
【００１１】  図８には枕型のアクアバッグの俯瞰図を示した。
ｆは上面、ｇは底面、ｈは長辺側面、ｉは短辺側面である。
２は水の注入排出に際し使用する注入口および排出口である。
注入・排出口は、シャッター開閉装置と消防車或いは消火栓接続のワンタッチ接続コネクターからなっている。
８コネクター収納保護陥入ボックスであり、９は消防車、消火栓と連結するホースとの接続コネクター、１０はコネクター固定用可動錠である。
１４はシャッター開閉用の取り手であり、１５はアクアバッグ外幕部の袋幕面素材である。
１６はシャッター作動板上の移動レールである。
７はアクアバッグとアクアバッグを連結する結合バンドである。
【００１２】  図９には枕型のアクアバッグの水注入口のシャッターを開いた場合の構造を示した。
水注入口の消防車、消火栓との接続金具は、既成の消防ホース接続様式と同一でなければならないが、シャッターは通常の消防用具にはないので、専用の形状の装置が必要である。シャッターはスライド移動方式で、金具の蓋で水注入口を開いたり、閉じたりする単純な構造である、閉じた場合は水注入口内側周囲に設置したゴムパッキンを水圧により金具が抑える構造で、密閉は十分である。
８はコネクター収納保護陥入ボックス壁であり、９は消防車、消火栓と連結するホースとの接続コネクターで、通常の消防用具と同一構造である。
１０はコネクター固定用可動掛金である。
１１は注入口シャッターで１２のゴムパッキンで密栓する。１３は注入口シャッター固定金具である。
１４はシャッター開閉ツマミで、これを移動してシャッターの開閉を行う。
１５はアクアバッグ外幕部の袋幕面素材である。
【００１３】  図１０には枕型のアクアバッグの水注入口のシャッターを閉じた場合の構造を示した。
装置部品の符号は１２項と同一である。
【００１４】  図１１には、河川の氾濫、高潮の襲来に備えて、三角柱状のアクアバッグを組立てる場合の組立て状況を図解した。
組立てには三角柱状のアクアバッグを縦に並べ、杭と結束して固定し、消防車或いは消火栓と接続し、水を注入して膨らませる。
フェンスを積み上げる場合は、三角柱状のアクアバッグ列を増やし、縦列の間に逆さに積載した、アクアバッグ列を設け、その上にアクアバッグ列を載せてアクアバッグを結束固定する。
更に高いフェンスを必要とする場合は、更にアクアバッグ列を増やし、結束固定してフェンスに積み上げる。フェンスが積み上がれば、バッグとバッグの隙間からの水漏れ防止をするために、バッグ表面をシート幕で覆いバッグと結束固定する。
水の浸水を防止する機能は、杭によるバッグのずれ防止とバッグ内の水の重量で急速な浸水を防止するもので、大量の流水を食い止め、或いは迂回させ、多小の漏水は起るが、水の急速な増水による溢水を防止し、緊急非難を可能にしたり、排水までの時間を稼ぐことを可能としている。
【００１５】  図１２には、河川の氾濫、高潮の襲来に備えて、枕型のアクアバッグを組立てる場合の組立て状況を図解した。
組立てには三角柱型と同様、枕型アクアバッグを縦に並べ、杭と結束して固定し、消防車或いは消火栓と接続し、水を注入して膨らませる。
フェンスを積み上げる場合は、枕型のアクアバッグ列を増やし、その上にアクアバッグ列を載せて、アクアバッグ同士を結束固定する。
枕型アクアバッグは比較的重量が軽いので、人海戦術を要する人手のある場合に効果的である。
【発明の効果】
【００１６】  以上説明したように本発明では、長雨、豪雨による高潮、河川の氾濫、道路の氾濫等緊急時に携帯簡便で、消防車、消火栓と連結して、水を袋に入れ、短時間で長大な長大な堤防フェンスを形成し、在来の堤防の補強緊急の増水を防止し、水害を最小限度に食い止めることを可能とする。
【図面の簡単な説明】
【図１】は三角柱型のアクアバッグの俯瞰図である。
【図２】は三角柱型のアクアバッグの俯瞰透視図である。
【図３】は三角柱型のアクアバッグの正面外観図である。
【図４】は三角柱型のアクアバッグの背面外観図である。
【図５】は三角柱型のアクアバッグの底面外観図である。
【図６】は三角柱型のアクアバッグの右側外観図である。
【図７】は三角柱型のアクアバッグの左側外観図である。
【図８】は枕型のアクアバッグの俯瞰図である。
【図９】は枕型のアクアバッグの水注入口のシャッターを開いた場合の構造図である。
【図１０】は枕型のアクアバッグの水注入口のシャッターを閉じた場合の構造図である。
【図１１】は河川の氾濫、高潮の襲来に備えて、三角柱型のアクアバッグを組立てた場合の組立て状況の図解である。
【図１２】は河川の氾濫、高潮の襲来に備えて、枕型のアクアバッグを組立てた場合の組立て状況の図解である。
【符号の説明】
＜アクアバッグ表示方向系統＞
ａ−三角柱型のアクアバッグ正面
ｂ−三角柱型のアクアバッグ背面
ｃ−三角柱型のアクアバッグ底面
ｄ−三角柱型のアクアバッグ右側面
ｅ−三角柱型のアクアバッグ左側面
ｆ−枕型アクアバッグ上面
ｇ−枕型アクアバッグ下面
ｈ−枕型アクアバッグ長辺側面
ｉ−枕型アクアバッグ短辺側面
＜アクアバッグ部品名系統＞
１−三角柱型アクアバッグの水の注入口および排出口
２−枕型アクアバッグの水の注入口および排出口
３−三角柱型のアクアバッグの底面の折り畳み時の内側への折り目
４−三角柱型のアクアバッグの右側面の折り畳み時の内側への折込みり目
５−三角柱型のアクアバッグの左側面の折り畳み時の内側への折り込み目
６−三角柱型のアクアバッグの頂上の折り目
７−アクアバッグとアクアバッグを連結する結合バンド
８−コネクター収納保護陥入ボックス
９−消防車、消火栓と連結するホースとの接続コネクター
１０−コネクター固定用可動掛金
１１−注入口シャッター
１２−ゴムパッキン
１３−注入口シャッター固定金具
１４−シャッター開閉ツマミ
１５−アクアバッグ外幕部の袋幕面素材
１６−シャッター作動板上の移動レール
１７−水の注入・排出時の空気抜き（排気・吸気）の栓
【図１】
2005220721.tif 000003
【図２】
2005220721.tif 000004
【図３】
2005220721.tif 000005
【図４】
2005220721.tif 000006
【図５】
2005220721.tif 000007
【図６】
2005220721.tif 000008
【図７】
2005220721.tif 000009
【図８】
2005220721.tif 000010
【図９】
2005220721.tif 000011
【図１０】
2005220721.tif 000012
【図１１】
2005220721.tif 000013
【図１２】
2005220721.tif 000014